(57)【要約】【課題】利用者の使用状況に応じたモード画面を表示して利用者の使い勝手を向上させる画像形成装置、画像形成装置の動作モード選択方法、及びプログラムを提供する。【解決手段】複数の動作モードに応じた画像形成が可能な画像形成装置において、動作モードに対応するモード画面を表示する表示部と、動作モードを実行させる指示を利用者が入力するための入力部と、画像形成装置の周囲において撮像したデータ又はスキャンしたデータを取得するデータ取得部と、データ取得部が取得したデータに基づいて、利用者を認識する認識部と、認識された利用者の前記入力部への入力状況を記憶する入力記憶部と、記憶された利用者の入力状況に基づいて、利用者の実行が予想される動作モードに対応するモード画面を前記表示部に表示し、入力部に入力された指示に応じた動作モードを実行する制御部とを備える画像形成装置。【選択図】図２
2020145604.tif 000002
【特許請求の範囲】
【請求項１】
複数の動作モードに応じた画像形成が可能な画像形成装置において、
前記動作モードに対応するモード画面を表示する表示部と、
前記動作モードを実行させる指示を利用者が入力するための入力部と、
画像形成装置の周囲において撮像したデータ又はスキャンしたデータを取得するデータ取得部と、
前記データ取得部が取得したデータに基づいて、利用者を認識する認識部と、
前記認識された利用者の前記入力部への入力状況を記憶する入力記憶部と、
記憶された利用者の入力状況に基づいて、利用者の実行が予想される動作モードに対応するモード画面を前記表示部に表示し、前記入力部に入力された指示に応じた動作モードを実行する制御部とを備えることを特徴とする画像形成装置。
【請求項２】
前記入力部には、前記利用者が認証情報を入力することが可能であり、
前記制御部は、前記認識部で認識された利用者について認証情報の入力が必要か否かを判定し、必要と判定された利用者に対応して、前記認証情報の入力に関連する項目のユーザーインターフェイスを前記表示部に表示し、前記入力部に前記認証情報が入力されたことを条件に、前記動作モードの実行を許可することを特徴とする請求項１に記載の画像形成装置。
【請求項３】
前記制御部は、前記入力記憶部に記憶された利用者の入力状況に基づき、利用者毎に動作モードの使用頻度の高さを学習し、前記認識された利用者の使用頻度の高い動作モードに関連する項目のユーザーインターフェイスを前記表示部に表示するものであることを特徴とする請求項１又は２に記載の画像形成装置。
【請求項４】
前記制御部は、前記入力記憶部に記憶された利用者の曜日や時刻に応じた入力状況を学習し、利用者の動作モードに関連する項目のユーザーインターフェイスを前記表示部に表示する優先順位を、前記学習した曜日や時刻に応じて変更することを特徴とする請求項１又は２に記載の画像形成装置。
【請求項５】
前記データ取得部は、画像形成装置の周囲の位置及び離隔した位置において撮像したデータ又はスキャンしたデータを取得し、
前記認識部は、前記データ取得部が取得したデータに基づいて、前記画像形成装置から離隔した位置から利用者を追尾して認識し、利用者が前記画像形成装置の前に位置したときに、利用者の実行が予想される動作モードに対応するモード画面を前記表示部に表示することを特徴とする請求項１又は２に記載の画像形成装置。
【請求項６】
利用者の視線の向きを検知する視線検知部を備え、前記制御部は、検知された利用者の視線に基づいて前記表示部に表示するモード画面を変更することを特徴とする請求項１又は２に記載の画像形成装置。
【請求項７】
複数の動作モードに応じた画像形成が可能な画像形成装置の動作モード選択方法において、
前記動作モードに対応するモード画面を表示部に表示するモード画面表示行程と、
前記動作モードを実行させる指示を利用者が入力部に入力する入力工程と、
画像形成装置の周囲を撮像したデータ又は前記周囲をスキャンしたデータを取得するデータ取得工程と、
前記取得したデータを解析することにより、利用者を認識する認識工程と、
前記認識された利用者の入力状況を記憶する入力記憶行程と、
記憶された利用者の入力状況に基づいて、利用者の実行が予想される動作モードに対応するモード画面を前記表示部に表示し、前記入力部に入力された指示に応じた動作モードを実行する制御工程とを有することを特徴とする画像形成装置の動作モード選択方法。
【請求項８】
複数の動作モードに応じた画像形成をする画像形成装置のコンピュータに、
前記動作モードに対応するモード画面を表示部に表示するモード画面表示機能と、
前記動作モードを実行させる指示を利用者が入力するための入力機能と、
画像形成装置の周囲において撮像したデータ又はスキャンしたデータを取得するデータ取得機能と、
前記取得したデータに基づいて、利用者を認識する認識機能と、
前記認識された利用者の入力状況を記憶する入力記憶機能と、
記憶された利用者の入力状況に基づいて、利用者の実行が予想される動作モードに対応するモード画面を前記表示部に表示し、前記入力部に入力された指示に応じた動作モードを実行する制御機能とを実現させるためのプログラム。
【発明の詳細な説明】
【技術分野】
【０００１】
本発明は、画像形成装置、画像形成装置の動作モード選択方法及び画像形成装置のプログラムに関する。
【背景技術】
【０００２】
従来、複数の動作モードを有する画像形成装置が知られている。動作モードは、コピーモード、スキャナモード、プリントモード等がある。画像形成装置を使用する際に、利用者は動作モードを選択する操作を行う。
【０００３】
特許文献１においては、動作モードの選択に関して、動作モードに応じたモード画面を表示する表示部と、ログイン後に動作モードが未選択の状態において、原稿検出部により原稿が検出されると、利用者による複数の動作モードの累積使用回数を用いて、複数の動作モードから予測モードを決定して予測モードに応じた画面を表示部に表示させて予測モードを実行可能にする制御部とを設けた画像形成装置が示されている。
【先行技術文献】
【特許文献】
【０００４】
【特許文献１】特開２０１３−１５７８８０号公報
【発明の概要】
【発明が解決しようとする課題】
【０００５】
しかしながら、前述の画像形成装置では、予測モードが動作モードの累積使用回数に対応するだけであり、利用者によって使用状況に応じた適切なモード画面が表示されていなかった。利用者は原稿に応じたモード画面を表示させる操作に手間がかかるものであった。
【０００６】
本発明は、斯かる実情に鑑み、利用者の使用状況に応じたモード画面を表示して利用者の使い勝手を向上させる画像形成装置、画像形成装置の動作モード選択方法、及びプログラムを提供しようとするものである。
【課題を解決するための手段】
【０００７】
本発明の画像形成装置は、複数の動作モードに応じた画像形成が可能な画像形成装置において、
前記動作モードに対応するモード画面を表示する表示部と、
前記動作モードを実行させる指示を利用者が入力するための入力部と、
画像形成装置の周囲において撮像したデータ又はスキャンしたデータを取得するデータ取得部と、
前記データ取得部が取得したデータに基づいて、利用者を認識する認識部と、
前記認識された利用者の前記入力部への入力状況を記憶する入力記憶部と、
記憶された利用者の入力状況に基づいて、利用者の実行が予想される動作モードに対応するモード画面を前記表示部に表示し、前記入力部に入力された指示に応じた動作モードを実行する制御部とを備えることを特徴とする画像形成装置である。
【０００８】
本発明は、複数の動作モードに応じた画像形成が可能な画像形成装置の動作モード選択方法において、
前記動作モードに対応するモード画面を表示部に表示するモード画面表示行程と、
前記動作モードを実行させる指示を利用者が入力部に入力する入力工程と、
画像形成装置の周囲を撮像したデータ又は前記周囲をスキャンしたデータを取得するデータ取得工程と、
前記取得したデータを解析することにより、利用者を認識する認識工程と、
前記認識された利用者の入力状況を記憶する入力記憶行程と、
記憶された利用者の入力状況に基づいて、利用者の実行が予想される動作モードに対応するモード画面を前記表示部に表示し、前記入力部に入力された指示に応じた動作モードを実行する制御工程とを有することを特徴とする画像形成装置の動作モード選択方法である。
【０００９】
本発明のプログラムは、複数の動作モードに応じた画像形成をする画像形成装置のコンピュータに、
前記動作モードに対応するモード画面を表示部に表示するモード画面表示機能と、
前記動作モードを実行させる指示を利用者が入力部に入力する入力機能と、
画像形成装置の周囲において撮像したデータ又はスキャンしたデータを取得するデータ取得機能と、
前記取得したデータに基づいて、利用者を認識する認識機能と、
前記認識された利用者の入力状況を記憶する入力記憶機能と、
記憶された利用者の入力状況に基づいて、利用者の実行が予想される動作モードに対応するモード画面を前記表示部に表示し、前記入力部に入力された指示に応じた動作モードを実行する制御機能とを実現させるためのプログラムである。
【発明の効果】
【００１０】
本発明の画像形成装置、動作モード選択方法及びプログラムによれば、複数の動作モードに対応するモード画面を表示部に表示し、画像形成装置の周囲において撮像したデータ又はスキャンしたデータを取得し、取得したデータに基づいて、利用者を認識し、認識された利用者の入力部への入力状況を記憶し、記憶された利用者の入力状況に基づいて、利用者の実行が予想される動作モードに対応するモード画面を前記表示部に表示し、前記入力部に入力された指示に応じた動作モードを実行する。
【００１１】
画像形成装置の表示部に、記憶された利用者の入力状況から実行が予想される動作モードに対応するモード画面が表示されるので、利用者はモード画面を見て動作モードを選択することができ、初期画面から入力する必要がないので、利用者の使い勝手を向上させることができるという優れた効果を奏し得る。
【図面の簡単な説明】
【００１２】
【図１】本発明の実施形態に係る画像形成装置の外観説明図である。
【図２】画像形成装置の制御系を示すブロック図である。
【図３】画像形成装置の制御手順を説明するフローチャートである。
【図４】画像形成装置の操作画面の説明図であり、(ａ)が初期画面、（ｂ）が認証ボタンの画面例の説明図である。
【図５】操作画面の他の説明図であり、(ａ)が利用者の日時や曜日に応じて、動作モードに対応する項目のユーザーインターフェイスを変更する画面説明図、（ｂ）が使用頻度の高い動作モードに対応する項目のユーザーインターフェイスに変更する画面説明図である。
【図６】操作画面の他の説明図であり、(ａ)が利用者が排紙ユニットを見た後に変更するモード画面説明図、（ｂ）が利用者が給紙ユニットを見た後で変更するモード画面説明図である。
【発明を実施するための形態】
【００１３】
以下、本発明の実施形態について、添付図面を参照して説明する。
【００１４】
図１は、本発明の実施形態に係る画像形成装置の外観説明図、図２が画像形成装置の制御系を示すブロック図、図３が画像形成装置の制御手順を説明するフローチャートである。図４〜図６が画像形成装置の操作画面の説明図である。
【００１５】
まず、画像形成装置１の全体構成について説明する。
画像形成装置１は、外部から伝達される画像データに応じて所定のシート（記録用紙，記録媒体）に画像を形成するものである。
【００１６】
画像形成装置１は、図１に示すように、主に、本体装置である電子写真プロセス部（図示省略）を備えた画像形成処理部３と、操作パネル１０とスキャナユニット（図示省略）を備えた画像読み取部２とを備えて構成されている。
【００１７】
原稿画像を画像読み取部２のスキャナユニットで読み取ることにより得られた画像データは、各種処理が施され、処理後、メモリ（図２に示す画像データ記憶部２１）に一旦記憶され、出力指示に応じてメモリから画像データを画像形成処理部３に出力して、感光体ドラム（図示省略）上に可視画像として再現した後、用紙上に画像を転写してトナー像を形成する。
【００１８】
画像形成処理部３内には、黒色やカラーのトナーカートリッジ６０が収容されている。
なお、画像形成処理の際の各種設定は設定データ記憶部３５に記憶される。
【００１９】
画像形成処理部３は、開閉する外カバー３ａを備え、外カバー３ａの開閉状態を検出する図示されない開閉センサが設けられている。
【００２０】
画像形成処理部３に隣接して用紙を供給する給紙部４が構成されている。
給紙部４は、第１〜３カセット３１，３２，３３、さらにオプションとして大容量カセット３４を有している。
【００２１】
画像読み取部２と画像形成処理部３の間には排紙トレイ５１が形成されている。画像形成処理部３に隣接して後処理装置５が構成されている。後処理装置５には、第１排紙トレイ５２，第２排紙トレイ５３が設けられている。
【００２２】
操作パネル１０は、表面の略中央部に動作モードに対応するモード画面を表示する表示部１１と、利用者が動作モードにおける処理を選択した際に選択した動作モードを実行させる指示を入力するためのスイッチ等からなる入力部（「入力部」に相当）１２とが設けられる。
【００２３】
実施形態において、操作パネル１０に、液晶表示パネル等の表示機構を備えた表示部１１と、表示部１１の表面に入力スイッチの機能を備えた入力部１２（１２Ａ…）とを有する。入力スイッチの機能を実現するため、表示部１１の表面は感圧式や静電容量式等のタッチパネルのスイッチ構造を持つ。なお、表示部１１に設ける入力部１２は、表示部１１の表面にスイッチ機能を有する構成とする他、表示部１１以外の部分に一部又は全部のスイッチ構造を設けたものでもよい。
【００２４】
実施形態の画像形成装置は、図２に示すような制御系を有する。
図２に示すように、画像形成装置は、画像データを読み取る画像読み取部２と、複数の動作モードから選択された動作モードに応じて画像形成をする画像形成処理部３とを備え、動作モードに対応する操作画面（モード画面）を表示する表示部（モード画面表示部）１１と、動作モードを実行させる指示を利用者に入力させるため操作パネル１０の表面に設けられた入力部（入力部）１２と、画像形成装置の周囲を撮像したデータ又は前記周囲をスキャンしたデータを取得するデータ取得部１４と、データ取得部１４が取得したデータを解析することにより認識する認識部６１と、認識された利用者の入力部１２への入力状況を記憶する入力記憶部６２と、記憶された利用者の入力状況に基づいて、利用者の実行が予想される動作モードに対応するモード画面を前記表示部１１に表示し、入力部１２に入力された指示に応じた動作モードを実行する制御部６３とを備えた画像形成装置である。
【００２５】
実施形態では、画像形成装置１は、外部との間で信号や画像データをやり取りするための通信部６４を備えている。
【００２６】
画像形成装置１は、画像形成装置１の周囲の位置で監視カメラ（撮像カメラ）で撮像したデータ又はレーザーの反射波等を利用した３次元認識センサによってスキャンしたデータを取得できる。具体的には、撮像カメラ又は３次元認識センサ１４ａを画像形成装置が設置された室内に設けて通信部６４を介してデータを画像形成装置に入力する。監視カメラ又は３次元センサ１４ａは画像形成装置に設置してもよい。
【００２７】
データ取得部１４は、画像形成装置から離隔した位置において撮像したデータ又はスキャンしたデータを取得できる。具体的には、画像形成装置の設置した室内から離隔した廊下又は別室等の位置に監視カメラ又は３次元センサ１４ａを設置して、通信部６４を介してデータを画像形成装置に取り込むようにしてもよい。
【００２８】
画像形成装置は、パスワード等の認証情報の入力を条件に動作する機能を有する。利用者は、図４（ｂ）に示す認証画面から認証情報を、入力部１２を介して入力することが可能である。前記制御部６３は、認識部６１で認識された利用者について認証情報の入力が必要か否かを判定し、必要と判定された利用者に対応して、認証情報の入力に関連する項目のユーザーインターフェイスを前記表示部１１に表示し、前記入力部１２に前記認証情報が入力されたことを条件に、前記動作モードの実行を許可する。
【００２９】
前記制御部６３は、前記入力記憶部に記憶された利用者の入力状況に基づき、利用者毎に動作モードの使用頻度の高さを学習し、前記認識された利用者の使用頻度の高い動作モードに関連する項目のユーザーインターフェイスを前記表示部１１に表示する。
【００３０】
前記制御部６３は、前記入力記憶部６２に記憶された利用者の曜日や時刻に応じた入力状況を学習し、利用者の動作モードに関連する項目のユーザーインターフェイスを表示部１１に表示する優先順位を、前記学習した曜日や時刻に応じて変更する。
【００３１】
データ取得部１４は、部屋に設置されている監視カメラの撮像データ、あるいは、レーザーの反射波等を利用した３次元センサのスキャンデータを入力する。データの入力は、監視カメラの撮影画像データを通信部６４に通信回線を介して入力してもよい。また、３次元センサは画像形成装置の前面に設置したものや、室内に別体に設置したものなどを種々に使用できる。
【００３２】
また、データ取得部１４は、画像形成装置１の設置した室内から離隔した位置に監視カメラ又は３次元センサ１４ａを設置した状態において、通信部６４を介してデータデータを画像形成装置に取り込む。認識部６１は、データ取得部１４が取得したデータに基づいて、前記画像形成装置１から離隔した位置から利用者を追尾して認識し、利用者が前記画像形成装置１の前に位置したときに、利用者の実行が予想される動作モードに対応するモード画面を前記表示部に表示することができる。利用者が画像形成装置の設置した室内に来る以前から利用者を認識して、利用者が到着したときに実行が予想される動作モードに対応したモード画面を表示するので、画像形成装置１の前に立った利用者に応じた適切な動作モードが表示され、利用者はよく使うモード画面を表示させるように操作する必要がなくなる。
【００３３】
利用者の視線の向きを検知する視線検知部６５を備え、前記制御部６３は、検知された利用者の視線に基づいて前記表示部１１に表示するモード画面を変更する。視線検知部６５は図示しない撮像カメラで撮影した画像を解析して利用者の視線の向きを検知することができる。
【００３４】
なお、画像形成装置は、外部との間で通信回線を通じてデータを入力・出力する通信部６４を備える。通信部６４を介して、外部からの利用者の撮像画像をデータ取得部１４に入力可能になっている。
【００３５】
画像読み取り部２は、複数枚の原稿を連続的に読み取るために原稿の自動送り機構を備える。自動送り機構に原稿が検出されたことを条件に原稿の読み取りを開始する。読み取った原稿の画像データは、コピー時にその画像データに基づき印刷処理する他、画像データ記憶部２１に格納可能である。
【００３６】
認識部６１は、データ取得部１４から入力された撮像データ又はスキャンデータを解析して利用者を認識する。
【００３７】
本実施形態では、格納された又はサーバー上のプログラム等によって制御部６３が、複数の動作モードに応じた画像形成をする画像形成装置のコンピュータに、前記動作モードに対応するモード画面を表示部１１に表示するモード画面表示機能と、前記動作モードを実行させる指示を利用者が入力するための入力機能と、画像形成装置１の周囲において撮像したデータ又はスキャンしたデータを取得するデータ取得機能と、前記取得したデータに基づいて、利用者を認識する認識機能と、前記認識された利用者の入力状況を記憶する入力記憶機能と、記憶された利用者の入力状況に基づいて、利用者の実行が予想される動作モードに対応するモード画面を前記表示部１１に表示し、前記入力部に入力された指示に応じた動作モードを実行する制御機能とを実現させる。
【００３８】
さらに具体的には、図３は、画像形成装置の制御手順のフローチャートである。各ステップは、Ｓ１０１〜と表記する。また、図４〜図６は、表示部１１が表示する、動作モードに対応する操作画面（モード画面）の表示例である。
【００３９】
画像形成装置は、実施形態では、コピー機、プリンタ、スキャナ、ファクシミリ等の機能を有する複合機である。
【００４０】
また表示部１１では、操作画面（モード画面）を表示する前は、図４（ａ）に示すような初期画面を表示する。入力部１２は、実線で囲まれた各領域がスイッチ（符号１２Ａ等）の機能がある。
【００４１】
入力部１２において。初期画面は、スイッチ１２Ａが「コピー」、スイッチ１２Ｂが「スキャン」、スイッチ１２Ｃが「Ｅ−Ｍａｉｌ（電子メール）」、スイッチ１２Ｄが「ドキュメントファイリング」の各操作用のスイッチである。スイッチ１２Ｅ、１２Ｆが左、右への選択スイッチを有したものである。
【００４２】
また、制御部６３は各動作モードが変わる際に、表示部１１に表示する操作画面（モード画面）が図４（ａ）に示す初期画面から図４（ｂ）〜図６（ｂ）の操作画面（モード画面）に変える。
【００４３】
図４（ｂ）は、利用者の認証情報の入力に関連する項目のユーザーインターフェイス（ＵＩ）のボタンが示されたモード画面である。図５（ａ）は、認識された利用者の使用頻度の高い動作モードに関連する項目のユーザーインターフェイスについてのモード画面の表示例、図５（ｂ）は、利用者の実行が予想される動作モードに関連する項目のユーザーインターフェイスを表示部に表示する優先順位を、学習した曜日や時刻に応じて変更したモード画面の表示例である。図６（ａ）は、利用者の視線の向きに基づいて変更した、利用者の実行が予想される動作モードに対応する項目のユーザーインターフェイスについてのモード画面の表示例、図６（ｂ）は、他の変更されたモード画面の表示例である。
【００４４】
図３に示すフローチャートにおいて、まず、画像形成層に、電源が投入されて立ち上がった後、表示部１１は、初期操作画面を表示する（ステップＳ１０１）。初期操作画面は、各操作画面（モード画面）に移行する前のデフォルトの画面である。図４（ａ）に示すように、初期操作画面では、処理モードを利用者が選択できるように、表示部１１の領域において、区切られて各領域（スイッチ１２Ａ等）がタッチパネル式のユーザーインターフェイス（ＵＩ）になっている。
【００４５】
次いで、画像形成装置の離隔した位置及び、周囲の位置で撮像データ又はスキャンしたデータを取得する（Ｓ１０２）。離隔した位置のデータは監視カメラ等から取得し、周囲の位置は画像形成装置に設置の撮像カメラのデータでもよい。
【００４６】
入力された撮像データ又はスキャンデータを画像解析して、利用者が誰かを認識する（Ｓ１０３）。この場合、離隔した位置の利用者を追尾して画像形成装置の周囲に来たことを認識する。
【００４７】
解析の結果に基づき、認識した利用者が認証を必要とする者が否かを判定する（Ｓ１０４）。
【００４８】
利用者が認識の必要があれば（Ｓ１０４：Ｙｅｓ）、必要と判定された利用者に対応して、前記認証情報の入力に関連する項目のユーザーインターフェイスを前記表示部１１に表示する（Ｓ１０５）。具体的には、図４（ａ）に示した初期画面に重ねるように、図４（ｂ）に示すように認証ボタン７０を表示する。認証ボタン７０は利用者名とパスワードの入力欄を設けている。
【００４９】
利用者が認証ボタン７０にパスワードを入力するまで待機する（Ｓ１０６）。
【００５０】
利用者が認証ボタン７０にパスワードの入力等の認証操作をしたならば、認証し（Ｓ１０６：Ｙｅｓ）、Ｓ１１１以降の処理を実行する。
【００５１】
一方、認識した利用者（ユーザー）が認証の不要な者である場合（すでに認証された場合等）であれば（Ｓ１０４：Ｎｏ）、認識した利用者の日時や曜日に応じて、動作モードに対応する項目のユーザーインターフェイスを変更すべき利用者であるか否かを判定する（Ｓ１０７）。
【００５２】
変更すべき利用者であれば、学習結果に基づき、利用者の日時や曜日に応じて、動作モードに対応する項目のユーザーインターフェイスを変更する（Ｓ１０８）。例えば、当初、図４（ａ）の初期画面であったのを、図５（ａ）に示すように変更する。図５（ａ）に示す、スイッチ７２Ａが「ドキュメントファイリング」、スイッチ７２Ｂが「スキャン」、スイッチ７２Ｃが「コピー」、スイッチ７２Ｄが「ファクシミリ」、７２Ｅ「共有フォルダ」の各操作用のスイッチである。スイッチ７２Ｆ、７２Ｇが左、右への選択スイッチを有したものである。
その後、Ｓ１１１に進む。
【００５３】
一方、認識した利用者は、使用頻度が高い動作モードに対応する項目のユーザーインターフェイスに変更すべき者か否かを判定する（Ｓ１０９）。
【００５４】
変更すべき利用者であれば、学習結果に基づき、使用頻度の高い動作モードに対応する項目のユーザーインターフェイスに変更する（Ｓ１１０）。当初図４（ａ）の初期画面や図５（ａ）に示すモード画面であったのを、図５（ｂ）にモード画面にする。この場合、図５（ｂ）において、スイッチ７４Ａが「ファクシミリ」、スイッチ７４Ｂが「Ｅ−Ｍａｉｌ」、スイッチ７４Ｃが「給紙トレイ」、スイッチ７４Ｄが「コピー」、７４Ｅ「スキャン」の各操作用のスイッチである。スイッチ７４Ｆ、７４Ｇが左、右への選択スイッチを有したものである。
その後、Ｓ１１１に進む。
【００５５】
Ｓ１１１においては、利用者が、認識した利用者の視線の向きによって動作モードに対応する項目のユーザーインターフェイスを変更するか否かを判定する（Ｓ１１１）。ここで、この機能は、利用者の視線を認識する機能を有することを前提とする。
【００５６】
変更すると判定されたならば、ユーザーインターフェイスを変更する（Ｓ１１２）。
【００５７】
例えば、利用者が排紙ユニットを見た後は、排紙段（排紙トレイ５１、第１、第２排紙トレイ５２，５３）、ステープル、パンチ数等を優先的に表示する（Ｓ１１３）。具体的には、当初図４（ａ）に示す初期画面であったものを、図６（ａ）に示すモード画面を変更する。図６（ａ）に示すモード画面は、排紙関係のスイッチ７６Ａが「上トレイ」、スイッチ７６Ｂが「下トレイ」、ステープルのスイッチ７６Ｃが「１カ所ステープル」、７６Ｄが「２カ所ステープル」、スイッチ７６Ｅが編集設定スイッチ領域であり、「パンチ」、「紙折」、「倍率」、「とじしろ」、初期画面に戻る「ホーム」、「リセット」、コピー色を設定する「カラー」、「白黒」の各スイッチを有している。
【００５８】
例えば利用者が給紙ユニット（給紙部４）を見た後は、給紙トレイ選択、等を優先的に表示する。具体的には、当初図４（ａ）の初期画面であったものを図６（ｂ）に変更する。図６（ｂ）において、給紙トレイの関するスイッチ７８Ａが「トレイ１〜トレイ４」の各選択スイッチ、用紙タイプに関するスイッチ７８Ｂが「普通紙」、「封筒」、「厚紙」、「光沢紙」の選択スイッチ、スイッチ７８Ｃが編集設定スイッチ領域であり、「原稿」、「倍率」、「両面」、「とじしろ」、初期画面に戻る「ホーム」、「リセット」、コピー色を設定する「カラー」、「白黒」の各スイッチを有している。
【００５９】
実施形態によれば、画像形成装置の表示部１１に、記憶された利用者の入力状況から実行が予想される動作モードに対応するモード画面が表示されるので、利用者はモード画面を見て動作モードを選択することができ、初期画面から入力する必要がないので、利用者の使い勝手を向上させることができるという優れた効果を奏し得る。
また、Ｓ１０３における利用者（ユーザ）の認識は、画像形成装置の周囲の撮像カメラからの画像のみによらず、画像形成装置から離れた部屋に備え付けられた監視カメラや部屋の外にあるクラウド接続のカメラにより利用者を補足追尾し、画像形成装置を使用する利用者を予測できるため、Ｓ１０５，Ｓ１０６における、画像形成装置前における利用者の認証時間を短縮することが可能となり、利用者が画像形成装置の前に立った時に瞬時にユーザーインターフェイスを切り替えるように事前準備が可能となる。
【００６０】
本発明は、前記実施形態に限定されず本発明の範囲内で変形実施できる。
【００６１】
図３に示した、ユーザーの認識に関するＳ１０４において、データ取得部１４からのデータに基づき利用者を認証するのに、利用者が画像形成装置の前に一定時間以上いることを条件に、認識部６１の認識をさせるものにできる。単に利用者が通り過ぎただけでは入力部１２の操作がされない可能性が高いので表示部１１の画面を切り替えても、不要であり制御や電力が無駄になる。一方、利用者が一定時間以上の間、画像形成装置の前にいれば、入力部１２を操作する可能性が高く、画面の切り替えの必要性が高いので無駄なく適切な表示が可能となる。
【００６２】
利用者が単に通り過ぎる場合にまで、表示部１１の動作モードの表示を変化させたのでは、画面が不必要な変化することになり制御部６３のＣＰＵが演算する際の制御リソースや電力を無駄に消費することになるが、利用者が画像形成装置の前に一定時間居ることを条件にして表示部１１の動作モードを変化させれば、そのような制御リソースの無駄な消費がなくなり、省エネルギーにもなる作用効果をも奏する。
【産業上の利用可能性】
【００６３】
本発明は複写機、複合機等の画像形成装置に利用することができる。
【符号の説明】
【００６４】
１  画像形成装置
２  画像読み取部
３  画像形成処理部
１０  操作パネル
１１  表示部
１２  入力部
１２Ａ〜１２Ｆ  スイッチ
１４  データ取得部
２１  画像データ記憶部
３５  設定データ記憶部
６１  認識部
６２  入力記憶部
６３  制御部
６４  通信部
６５  視線検知部
７０  認証スイッチ
７２Ａ〜７２Ｇ  スイッチ領域
７４Ａ〜７６Ｇ  スイッチ領域
７６Ａ〜７６Ｅ  スイッチ領域
７８Ａ〜７８Ｃ  スイッチ領域
【図１】
2020145604.tif 000003
【図２】
2020145604.tif 000004
【図３】
2020145604.tif 000005
【図４】
2020145604.tif 000006
【図５】
2020145604.tif 000007
【図６】
2020145604.tif 000008